(57)【要約】【課題】中継器として動作する無線通信機器において、適切なアクセスポイント装置に接続先を自発的に変更する構成を提供する。【解決手段】中継器は、設置位置が固定されており、通信部と、検出部と、変更部と、を備える。通信部は、第１アクセスポイント装置ＡＰ１及び第２アクセスポイント装置ＡＰ２を含む複数のアクセスポイント装置の何れかと接続して中継器として通信を行う。検出部は、接続中の第１アクセスポイント装置ＡＰ１との通信状態、及び、接続していない第２アクセスポイント装置ＡＰ２との通信状態を検出する。変更部は、検出部が検出した通信状態が切替条件を満たした場合に、接続先を第１アクセスポイント装置ＡＰ１から、当該第１アクセスポイント装置ＡＰ１よりも通信状態が良好な第２アクセスポイント装置ＡＰ２へ変更する。【選択図】図７
2020098989.tif 000002
【特許請求の範囲】
【請求項１】
設置位置が固定されている無線通信機器において、
第１アクセスポイント装置及び第２アクセスポイント装置を含む複数のアクセスポイント装置の何れかと接続して中継器として通信を行う通信部と、
接続中の前記第１アクセスポイント装置との通信状態、及び、接続していない前記第２アクセスポイント装置との通信状態を検出する検出部と、
前記検出部が検出した通信状態が切替条件を満たした場合に、接続先を前記第１アクセスポイント装置から、当該第１アクセスポイント装置よりも通信状態が良好な前記第２アクセスポイント装置へ変更する変更部と、
を備えることを特徴とする無線通信機器。
【請求項２】
請求項１に記載の無線通信機器であって、
前記検出部が検出する前記第１アクセスポイント装置及び前記第２アクセスポイント装置の通信状態が電波強度であることを特徴とする無線通信機器。
【請求項３】
請求項２に記載の無線通信機器であって、
前記第１アクセスポイント装置の電波強度が閾値を下回り、かつ、前記第２アクセスポイント装置の電波強度が複数の前記アクセスポイント装置の中で最も強いことが前記切替条件として含まれていることを特徴とする無線通信機器。
【請求項４】
請求項２に記載の無線通信機器であって、
所定回連続して行った計測の全てで前記第１アクセスポイント装置の電波強度が閾値を下回るか又は所定時間連続して前記第１アクセスポイント装置の電波強度が閾値を下回り、かつ、前記第２アクセスポイント装置の電波強度が複数の前記アクセスポイント装置の中で最も強いことが前記切替条件として含まれていることを特徴とする無線通信機器。
【請求項５】
請求項１から４までの何れか一項に記載の無線通信機器であって、
携帯端末又は別の中継器と無線で接続されており、
前記通信部は、当該携帯端末又は別の中継器と前記アクセスポイント装置との接続を中継することを特徴とする無線通信機器。
【請求項６】
請求項５に記載の無線通信機器であって、
設置位置が固定された産業機械と有線で接続されており、
前記通信部は、当該産業機械と前記アクセスポイント装置との接続を中継することを特徴とする無線通信機器。
【請求項７】
請求項６に記載の無線通信機器であって、
前記産業機械が繊維機械であり、
前記通信部は、前記繊維機械の稼動に伴って取得された情報を前記アクセスポイント装置へ送信することを特徴とする無線通信機器。
【請求項８】
第１アクセスポイント装置及び第２アクセスポイント装置を含む複数のアクセスポイント装置の何れかと、設置位置が固定されている中継器と、が接続して通信を行う無線通信方法において、
前記中継器と、当該中継器に接続中の前記第１アクセスポイント装置と、の通信状態、及び、前記中継器と、当該中継器に接続されていない前記第２アクセスポイント装置と、の通信状態を当該中継器が検出する検出工程と、
前記検出工程で検出した通信状態が切替条件を満たした場合に、前記中継器の接続先を前記第１アクセスポイント装置から、当該第１アクセスポイント装置よりも通信状態が良好な前記第２アクセスポイント装置へ変更する変更工程と、
を含むことを特徴とする無線通信方法。
【請求項９】
複数の繊維機械と、複数の前記繊維機械の稼動に関する稼動情報を分析する管理装置と、を備え、前記繊維機械のそれぞれの制御部から前記管理装置に向けて前記稼動情報が送信されるともに、前記管理装置で分析された結果が携帯端末に送信される繊維機械操業支援システムにおいて、
前記管理装置に接続され、それぞれがアクセスポイント装置として機能する、設置位置が固定された複数の第１無線通信機器と、
前記繊維機械の前記制御部にそれぞれ接続され、それぞれが中継器として機能する、設置位置が固定された複数の第２無線通信機器と、
を備え、
複数の前記第２無線通信機器は、それぞれ、
第１アクセスポイント装置及び第２アクセスポイント装置を含む複数の前記第１無線通信機器の何れかと無線で接続して中継器として通信を行う通信部と、
接続中の前記第１アクセスポイント装置との通信状態、及び、接続していない前記第２アクセスポイント装置との通信状態を検出する検出部と、
前記検出部が検出した通信状態が切替条件を満たした場合に、接続先を前記第１アクセスポイント装置から、当該第１アクセスポイント装置よりも通信状態が良好な前記第２アクセスポイント装置へ変更する変更部と、
を備えることを特徴とする繊維機械操業支援システム。
【発明の詳細な説明】
【技術分野】
【０００１】
本発明は、主として、アクセスポイント装置と接続して中継器として通信を行う無線通信機器に関する。
【背景技術】
【０００２】
特許文献１は、無線基地局装置と、通信端末と、で構成される無線通信システムを開示する。無線基地局装置はアクセスポイントとして機能し、通信端末と無線で接続して通信を行う。無線基地局装置は、接続中の通信端末からの電波の受信信号強度が閾値未満であることを検出した場合に、他の無線基地局装置へ引継情報を送信することで、当該他の無線基地局装置と通信端末との接続を促す。
【０００３】
特許文献２は、端末装置（ＳＴＡ装置）と、アクセスポイントと、で構成される無線通信システムを開示する。端末装置は、アクセスポイントの識別情報を優先度とともに対応付けて記憶する。端末装置は、探索できたアクセスポイントのうち優先度が高いアクセスポイントに接続する。なお、特許文献２には、端末装置と使用者が同じ位置にあることが記載されているため、この端末装置は携帯端末であると考えられる。
【０００４】
特許文献３は、複数のデータ通信カードを介して無線通信を行うルータを開示する。ルータは、アクセスポイントとして機能し、他の端末とともに無線ＬＡＮを構築する。ルータは、所定の通信条件に基づいて、外部の基地局と無線通信を行うデータ通信カードを選択する。
【先行技術文献】
【特許文献】
【０００５】
【特許文献１】特開２０１５−８８７８２号公報
【特許文献２】特開２０１５−９７３４４号公報
【特許文献３】特開２０１１−１７１８２１号公報
【発明の概要】
【発明が解決しようとする課題】
【０００６】
特許文献１から３には、アクセスポイント又は携帯端末等の機器が接続先を変更する構成が記載されている。しかし、特許文献１から３には、アクセスポイントと他の機器との通信を中継する中継器が接続先を変更することについて記載されていない。
【０００７】
本発明は以上の事情に鑑みてされたものであり、その主要な目的は、中継器として動作する無線通信機器において、適切なアクセスポイント装置に接続先を自発的に変更する構成を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の無線通信機器が提供される。即ち、この無線通信機器は、設置位置が固定されており、通信部と、検出部と、変更部と、を備える。前記通信部は、第１アクセスポイント装置及び第２アクセスポイント装置を含む複数のアクセスポイント装置の何れかと接続して中継器として通信を行う。前記検出部は、接続中の前記第１アクセスポイント装置との通信状態、及び、接続していない前記第２アクセスポイント装置との通信状態を検出する。前記変更部は、前記検出部が検出した通信状態が切替条件を満たした場合に、接続先を前記第１アクセスポイント装置から、当該第１アクセスポイント装置よりも通信状態が良好な前記第２アクセスポイント装置へ変更する。
【００１０】
これにより、第１アクセスポイント装置との接続が切れなくても、自発的に、通信状態が良好な第２アクセスポイント装置に接続先を変更することができる。特に無線通信機器の設置位置が固定されている場合、通信状態が変わりにくいので、いつまでも通信状態が悪いアクセスポイント装置と接続し続ける可能性があるが、上記の処理を行うことで、通信状態を改善できる。
【００１１】
前記の無線通信機器においては、前記検出部が検出する前記第１アクセスポイント装置及び前記第２アクセスポイント装置の通信状態が電波強度であることが好ましい。
【００１２】
これにより、通信状態を的確に判定できる。
【００１３】
前記の無線通信機器においては、前記第１アクセスポイント装置の電波強度が閾値を下回り、かつ、前記第２アクセスポイント装置の電波強度が複数の前記アクセスポイント装置の中で最も強いことが前記切替条件として含まれていることが好ましい。
【００１４】
これにより、電波強度を用いることで、通信状態の良好さを簡単かつ的確に比較できるので、適切なアクセスポイント装置に無線通信機器を接続させることができる。
【００１５】
前記の無線通信機器においては、所定回連続して行った計測の全てで前記第１アクセスポイント装置の電波強度が閾値を下回るか又は所定時間連続して前記第１アクセスポイント装置の電波強度が閾値を下回り、かつ、前記第２アクセスポイント装置の電波強度が複数の前記アクセスポイント装置の中で最も強いことが前記切替条件として含まれていることが好ましい。
【００１６】
これにより、電波強度の何らかの原因で一時的に低下して即座に良好な状態に戻った場合に、接続先のアクセスポイント装置が切り替わらないため、アクセスポイント装置の不要な変更を抑制できる。
【００１７】
前記の無線通信機器においては、以下の構成とすることが好ましい。即ち、携帯端末又は別の中継器と無線で接続されている。前記通信部は、当該携帯端末又は別の中継器と前記アクセスポイント装置との接続を中継する。
【００１８】
これにより、無線通信機器だけでなく、それに接続される携帯端末又は別の中継器の通信状態も良好にすることができる。
【００１９】
前記の無線通信機器においては、以下の構成とすることが好ましい。即ち、設置位置が固定された産業機械と有線で接続されている。前記通信部は、当該産業機械と前記アクセスポイント装置との接続を中継する。
【００２０】
これにより、無線通信機器だけでなく、それに接続される産業機械の通信状態も良好にすることができる。
【００２１】
前記の無線通信機器においては、以下の構成とすることが好ましい。即ち、前記産業機械が繊維機械である。前記通信部は、前記繊維機械の稼動に伴って取得された情報を前記アクセスポイント装置へ送信する。
【００２２】
これにより、繊維機械の稼動に伴って取得された情報を集約して管理できる。
【００２３】
本発明の第２の観点によれば、以下の無線通信方法が提供される。即ち、この無線通信方法では、第１アクセスポイント装置及び第２アクセスポイント装置を含む複数のアクセスポイント装置の何れかと、設置位置が固定されている中継器と、が接続して通信を行う。この無線通信方法は、検出工程と、変更工程と、を含む。前記検出工程では、前記中継器と、当該中継器に接続中の前記第１アクセスポイント装置と、の通信状態、及び、前記中継器と、当該中継器に接続されていない前記第２アクセスポイント装置と、の通信状態を当該中継器が検出する。前記変更工程では、前記検出工程で検出した通信状態が切替条件を満たした場合に、前記中継器の接続先を前記第１アクセスポイント装置から、当該第１アクセスポイント装置よりも通信状態が良好な前記第２アクセスポイント装置へ変更する。
【００２４】
これにより、第１アクセスポイント装置との接続が切れなくても、自発的に、通信状態が良好な第２アクセスポイント装置に接続先を変更することができる。特に無線通信機器の設置位置が固定されている場合、通信状態が変わりにくいので、いつまでも通信状態が悪いアクセスポイント装置と接続し続ける可能性があるが、上記の処理を行うことで、通信状態を改善できる。
【００２５】
本発明の第３の観点によれば、以下の構成の繊維機械操業支援システムが提供される。即ち、この繊維機械操業支援システムは、複数の繊維機械と、複数の前記繊維機械の稼動に関する稼動情報を分析する管理装置と、を備え、前記繊維機械のそれぞれの制御部から前記管理装置に向けて前記稼動情報が送信されるともに、前記管理装置で分析された結果が携帯端末に送信される。この繊維機械操業支援システムは、複数の第１無線通信機器と、複数の第２無線通信機器と、を備える。前記第１無線通信機器は、前記管理装置に接続され、それぞれがアクセスポイント装置として機能し、設置位置が固定されている。前記第２無線通信機器は、前記繊維機械の前記制御部にそれぞれ接続され、それぞれが中継器として機能し、設置位置が固定されている。複数の前記第２無線通信機器は、それぞれ、通信部と、検出部と、変更部と、を備える。前記通信部は、第１アクセスポイント装置及び第２アクセスポイント装置を含む複数の前記第１無線通信機器の何れかと無線で接続して中継器として通信を行う。前記検出部は、接続中の前記第１アクセスポイント装置との通信状態、及び、接続していない前記第２アクセスポイント装置との通信状態を検出する。前記変更部は、前記検出部が検出した通信状態が切替条件を満たした場合に、接続先を前記第１アクセスポイント装置から、当該第１アクセスポイント装置よりも通信状態が良好な前記第２アクセスポイント装置へ変更する。
【００２６】
これにより、第１無線通信機器と第２無線通信機器との通信状態を良好にできるので、複数の繊維機械と管理装置の間においても、常に良好な通信状態を構築することができる。また、管理装置は、複数台の繊維機械で発生する膨大な稼動情報を遅滞なく取得して分析して、携帯端末に分析結果を表示させることができる。その結果、オペレータは携帯端末に表示された分析結果に基づいて、繊維機械の稼動を最適化したり、問題箇所をメンテナンスしたりすることができる。以上により、繊維機械の操業性を高めることができる。
【図面の簡単な説明】
【００２７】
【図１】本発明の一実施形態に係る無線通信システムの全体的な構成を示す概念図。
【図２】精紡機の全体的な構成を示す正面図。
【図３】自動ワインダの全体的な構成を示す正面図。
【図４】中継器、アクセスポイント装置、及び携帯端末の機能ブロック図。
【図５】従来例においてアクセスポイント装置ＡＰ２が一時的にオフになった際の接続関係を示す図。
【図６】接続先のアクセスポイント装置を変更する処理を示すフローチャート。
【図７】本実施形態においてアクセスポイント装置ＡＰ２が一時的にオフになった際の接続関係を示す図。
【図８】接続候補のアクセスポイント装置が複数存在する場合に電波強度が最も強いアクセスポイント装置が選択されることを示す図。
【図９】変形例の無線通信システムについて説明する図。
【図１０】変形例において接続候補のアクセスポイント装置の中から実際に接続するアクセスポイント装置を選択する処理を説明するフローチャート。
【図１１】ホッピング数に基づいてアクセスポイント装置を選択する処理を説明する図。
【図１２】ホッピング数が２以上かつホッピング数が同一の場合においてアクセスポイント装置を選択する処理を説明する図。
【発明を実施するための形態】
【００２８】
次に、図面を参照して本発明の実施形態を説明する。初めに、図１を参照して、本実施形態の無線通信システム１００について説明する。図１は、本発明の無線通信システム（繊維機械操業支援システム）１００の全体的な構成を示す概念図である。
【００２９】
無線通信システム１００は、ＬＡＮ（Ｌｏｃａｌ  Ａｒｅａ  Ｎｅｔｗｏｒｋ）等のネットワーク規格により、構築されている。具体的には、無線通信システム１００は、有線ＬＡＮ及び無線ＬＡＮを含んで構成されている。なお、ＬＡＮに加えて、例えば工場用のＣＡＮ（Ｃｏｎｔｒｏｌｌｅｒ  Ａｒｅａ  Ｎｅｔｗｏｒｋ）が一部に含まれていてもよい。
【００３０】
無線通信システム１００は、例えば繊維工場１に配置された複数の繊維機械（産業機械）１１の情報を集約して管理するために用いられる。繊維機械１１の情報とは、繊維機械１１の稼動に伴って生じる複数種類の情報（稼動情報）である。更に具体的には、繊維機械１１の情報とは、１つの繊維機械１１を構成する複数種類の装置のそれぞれの状態を示す情報（即ち、複数種類の情報）である。また、繊維機械１１の情報とは、例えば、繊維機械１１に設置されたセンサが取得する情報である。また、無線通信システム１００は、インターネット２を介して、例えば外部サーバ３に接続されている。そのため、繊維工場１及び他の繊維工場の情報を外部サーバ３に集めて統計処理を行うこともできる。なお、無線通信システム１００は、インターネット等のＷＡＮ（ＷＩＤＥ  Ａｒｅａ  Ｎｅｔｗｏｒｋ）に接続されていないクローズドネットワークであってもよい。
【００３１】
初めに、無線通信システム１００を構成する機器について簡単に説明する。繊維工場１には、無線ネットワークを構築する機器として、複数の中継器（第２無線通信機器）１２と、複数の携帯端末１３と、複数のアクセスポイント装置（第１無線通信機器）１４と、が配置されている。アクセスポイント装置１４は親機として機能し、中継器１２は子機（ステーション）として機能する。なお、本実施形態の無線ネットワークの一部を有線ネットワークに置換してもよい。例えば、一部の中継器１２をアクセスポイント装置１４又は後述の第１ネットワークハブ１５等に有線で接続してもよい。
【００３２】
複数の繊維機械１１にはそれぞれ中継器１２が接続されており、繊維機械１１と中継器１２は有線により通信可能である。また、中継器１２は、無線通信機能を有しており、中継器１２の周囲（通信可能範囲）に存在する機器と無線により接続可能である。従って、中継器１２は、産業機械としての繊維機械１１を無線ネットワークに接続する。これにより、上述の繊維機械１１の情報を無線で他機器へ送信させることができる。中継器１２には、基本的に携帯端末１３及びアクセスポイント装置１４が無線で接続される。なお、本実施形態の中継器１２は他の中継器１２とは通信しない設定であるが、中継器１２同士で互いに通信することもできる。複数のアクセスポイント装置１４は、無線通信機能に加え、有線通信機能をそれぞれ有する。また、アクセスポイント装置１４は、携帯端末１３と無線により直接接続されることもある。また、隣接する中継器１２は、通信可能範囲が重複するように設置されている。同様に、隣接するアクセスポイント装置１４は、通信可能範囲が重複するように設置されている。
【００３３】
繊維工場１には、有線ネットワークを構築する機器として、アクセスポイント装置１４と、第１ネットワークハブ１５と、内部サーバ１６と、第２ネットワークハブ１７と、管理装置１８と、が配置されている。なお、アクセスポイント装置１４の配置数は複数である。その他の装置の配置数は、基本的には１以上であるが、省略することもできる。なお、本実施形態の有線ネットワークの少なくとも一部を無線ネットワークに置換してもよい。
【００３４】
複数のアクセスポイント装置１４は、第１ネットワークハブ１５を介して、有線により内部サーバ１６に接続されている。また、内部サーバ１６は、第２ネットワークハブ１７を介して、有線により管理装置１８及びインターネット２に接続されている。なお、管理装置１８は、繊維工場１の別の部屋（無線通信システム１００の無線通信範囲外）に設置されていてもよい。
【００３５】
次に、無線通信システム１００を構成する各装置の詳細について説明する。繊維機械１１は設置位置が固定されている。言い換えれば、繊維機械１１を移動させることは不可能ではないが、繊維機械１１を移動させずに作業を行うことが想定されている。以下、繊維機械１１の一例である、精紡機１１ａ及び自動ワインダ１１ｂについて、図２及び図３を参照して説明する。図２は、精紡機１１ａの全体的な構成を示す正面図である。図３は、自動ワインダ１１ｂの全体的な構成を示す正面図である。
【００３６】
図２に示す精紡機１１ａは、並設された複数の紡績ユニット８１と、糸継台車８２と、機台制御装置（制御部）８３と、図示しない玉揚装置と、を備える。
【００３７】
それぞれの紡績ユニット８１は、ドラフト装置８４と、空気紡績装置８５と、糸品質測定器８６と、糸貯留装置８７と、巻取装置８８と、を備える。ドラフト装置８４は、複数組のローラ対を有しており、当該ローラ対でスライバを引き延ばして繊維束にする。空気紡績装置８５は、旋回空気流を発生させるノズル機構を有しており、旋回空気流を繊維束に作用させて糸を生成する。糸品質測定器８６は、走行する糸の品質（例えば糸太さ又はその変化量等）を光学式センサ等で測定する。糸貯留装置８７は、外周面に糸を巻き付けて一時的に貯留する。糸を一時的に貯留することで、空気紡績装置８５における紡績速度と、巻取速度と、が何らかの理由により一致しない不具合を解消できる。巻取装置８８は、糸を綾振りしつつ、当該糸を巻取管に巻き取ってパッケージを形成する。
【００３８】
糸継台車８２は、紡績ユニット８１の並列方向に沿って走行可能である。ある紡績ユニット８１で糸が分断状態となった場合、糸継台車８２は、図略のレール上を走行して当該紡績ユニット８１まで走行して停止する。また、糸継台車８２は、捕捉装置と、糸継装置と、を備える。捕捉装置は、空気紡績装置８５から送出される糸と、パッケージの糸と、を吸引空気流等によってそれぞれ捕捉して糸継装置へ案内する。糸継装置は、案内された糸同士の糸継ぎを行う。
【００３９】
機台制御装置８３は、複数の紡績ユニット８１を集中的に管理する装置である。機台制御装置８３は、ＣＰＵ等の演算装置と、フラッシュメモリ又はハードディスク等の記憶装置と、通信機と、を備える。演算装置は、記憶装置に記憶されているプログラムを実行することで、複数の紡績ユニット８１及び糸継台車８２等を制御する。通信機は、それぞれの紡績ユニット８１及び中継器１２等と通信を行う。また、機台制御装置８３には、オペレータが操作を行う操作装置と、様々な情報を表示する表示装置と、が設けられている。
【００４０】
図３に示す自動ワインダ１１ｂは、並設された複数のワインダユニット９１と、玉揚装置９２と、機台制御装置（制御部）９３と、を備える。
【００４１】
それぞれのワインダユニット９１は、給糸部９４と、糸解舒補助装置９５と、テンション付与装置９６と、糸継装置９７と、糸品質測定器９８と、巻取部９９と、を備える。給糸部９４には、給糸ボビンが支持されている。糸解舒補助装置９５は、給糸ボビンから解舒される糸が遠心力によって振り回されて外側に膨らんだ部分（バルーン）に対して接触することで、糸が過度に振り回されることを抑制し、糸の解舒を一定のテンションで行うことができる。テンション付与装置９６は、走行する糸に所定のテンションを付与する。糸継装置９７には、給糸ボビンから解舒される糸と、パッケージの糸と、がそれぞれ案内される。糸継装置９７は、案内された糸同士の糸継ぎを行う。糸品質測定器９８は、走行する糸の品質（例えば糸太さ又はその変化量等）を光学式センサ等で測定する。巻取部９９は、糸を綾振りしつつ、当該糸を巻取管に巻き取ってパッケージを形成する。
【００４２】
玉揚装置９２は、ワインダユニット９１の並列方向に沿って走行可能である。あるワインダユニット９１においてパッケージが満巻となった場合、玉揚装置９２は、当該ワインダユニット９１まで走行して停止する。玉揚装置９２は、当該ワインダユニット９１の満巻のパッケージを取り外すとともに糸が巻かれていない新たな巻取管をワインダユニット９１に供給する。
【００４３】
機台制御装置９３は、制御対象が紡績ユニット８１ではなくワインダユニット９１である点以外は、基本的に機台制御装置８３と同じ構成である。
【００４４】
なお、上述した繊維機械１１は一例であり、精紡機１１ａ又は自動ワインダ１１ｂとは異なる構成の繊維機械１１に対しても無線通信システム１００を適用することができる。例えば、リング紡績機、オープンエンド紡績機、粗紡機、練条機、カード機、織機、及び編機等に対して無線通信システム１００を適用することができる。また、異なる種類の繊維機械１１（例えば、精紡機１１ａと自動ワインダ１１ｂの両方）を、共通の無線通信システム１００で管理することもできる。
【００４５】
次に、図４を参照して、中継器１２及びアクセスポイント装置１４について説明する。図４は、中継器１２、アクセスポイント装置１４、及び携帯端末１３の機能ブロック図である。本実施形態の中継器１２及びアクセスポイント装置１４は、同じ構成の無線通信機器であり、中継器として動作する状態と、アクセスポイント装置として動作する状態と、を切替可能である。
【００４６】
この無線通信機器（中継器１２及びアクセスポイント装置１４）は、演算装置２１と、記憶装置２２と、通信機２３と、切替操作装置２４と、を備える。演算装置２１は、例えばＣＰＵであり、所定のプログラムを実行することで様々な処理を行う。記憶装置２２は、例えばフラッシュメモリ又はハードディスクであり、演算装置２１が実行するプログラム及びオペレータが設定した設定値等が記憶されている。通信機２３は、無線通信を行うためのアンテナ、及び、有線通信用のケーブルが接続されるコネクタ等である。切替操作装置２４は、ハードウェアスイッチ（ディップスイッチ）である。切替操作装置２４を操作することで、中継器１２として動作する状態と、アクセスポイント装置１４として動作する状態と、を切り替えることができる。
【００４７】
中継器１２（切替操作装置２４への操作により中継器１２として動作する無線通信機器）は、繊維機械１１に取り付けられている。本実施形態の中継器１２は、機台制御装置８３又は機台制御装置９３の上面に取り付けられているが、異なる位置に取り付けられていてもよい。繊維機械１１は設置位置が固定されているので、中継器１２も設置位置が固定されている。また、アクセスポイント装置１４は繊維工場１の壁又は天井等に取り付けられているため、アクセスポイント装置１４も設置位置が固定されている。従って、繊維機械１１、中継器１２、及びアクセスポイント装置１４のそれぞれの位置関係は変化しない。従って、例えば中継器１２とアクセスポイント装置１４の距離は変化しない。また、中継器１２同士の距離、アクセスポイント装置１４同士の距離についても変化しない。中継器１２は、繊維機械１１から取得した稼動情報をアクセスポイント装置１４及び内部サーバ１６等を介して管理装置１８へ送信する。中継器１２が管理装置１８へ送信する稼動情報は、例えば、ユニット毎の生産量、アラーム回数、アラームの発生箇所、及び糸品質の測定結果等である。なお、中継器１２及びアクセスポイント装置１４は、繊維機械１１及び壁等から取り外して移動させることもできる。
【００４８】
また、無線通信機器が中継器１２として動作する場合、演算装置２１は、プログラムを実行することにより、通信部３１、検出部３２、及び変更部３３として機能する。通信部３１は、主に通信機２３を制御することで、有線又は無線による通信を行う。検出部３２は、通信機２３がアクセスポイント装置１４から受信した電波の電波強度等に基づいて、アクセスポイント装置１４との通信状態を検出する。変更部３３は、検出部３２が検出した通信状態に基づいて、接続先のアクセスポイント装置１４を変更する処理を行う（詳細は後述）。
【００４９】
携帯端末１３は、繊維機械１１のオペレータが携帯して持ち歩く端末（例えば、スマートフォン、タブレット端末、ノートＰＣ、又はスマートウォッチ等のウェアラブルデバイス）である。従って、オペレータが移動することで、携帯端末１３の位置が変化する。携帯端末１３は、演算装置４１と、記憶装置４２と、通信機４３と、操作装置４４と、表示装置４５と、を備える。演算装置４１は、例えばＣＰＵであり、所定のプログラムを実行することで様々な処理を行う。記憶装置４２は、例えばフラッシュメモリであり、演算装置４１が実行するプログラム等が記憶されている。通信機４３は、無線通信を行うためのアンテナ等である。操作装置４４は、オペレータが操作を行うハードウェアキー又はタッチパネルである。表示装置４５は、オペレータの操作に応じて、例えば内部サーバ１６等から受信した情報を表示する。
【００５０】
複数の中継器１２及び複数のアクセスポイント装置１４は、共通のＢＳＳＩＤ（Ｂａｓｉｃ  Ｓｅｒｖｉｃｅ  Ｓｅｔ  Ｉｎｄｅｎｔｉｆｉｅｒ）を有するとともに、それぞれ異なる周波数チャネルが設定されている。この構成により、携帯端末１３は、周波数チャネルを変更するだけで、接続先の中継器１２又はアクセスポイント装置１４を変更することができる。
【００５１】
内部サーバ１６は、繊維工場１に配置される繊維機械１１の稼動情報を集約し、携帯端末１３又は管理装置１８からの指示に応じた情報を、それぞれ管理装置１８又は携帯端末１３に送信する。内部サーバ１６が携帯端末１３へ送信する情報としては、例えば、稼動中の繊維機械１１及び各ユニットの情報、アラームが発生している繊維機械１１及びユニットを特定する情報、繊維機械１１に対して行う保全の内容及び実施時期、及び繊維機械１１の取扱説明書等である。内部サーバ１６が管理装置１８へ送信する情報（稼動情報）としては、例えば、所定期間での繊維機械１１の稼動状況（稼動時間、生産量等）を示す情報、糸品質を統計処理した結果を示す情報である。また、管理者が管理装置１８に所定の操作を行うことで、内部サーバ１６及びアクセスポイント装置１４等を介して、繊維機械１１の設定を個別又は一括に変更したり、繊維工場１のオペレータに指示を出したりすることもできる。また、管理者が管理装置１８に所定の操作を行うことで、管理装置１８は、稼動情報を分析して分析結果を携帯端末１３等に送信する。また、管理者は、管理装置１８を介して外部サーバ３に指示を送信することで、複数の繊維工場１の稼動情報の分析が外部サーバ３で行われる。管理装置１８は、複数の繊維工場１の分析結果を管理装置１８に表示又は携帯端末１３に送信する。また、複数の繊維工場１の分析結果と繊維工場１の実績を比較した情報を管理装置１８に表示又は携帯端末１３に送信することもできる。
【００５２】
次に、繊維工場１における無線通信環境について説明する。初めに、繊維工場１で生じ得る電波障害及びその対策について説明する。繊維工場１は、敷地が非常に大きい建屋であり、内部は風綿等の粉塵が多い環境となっている。なお、繊維工場１には、繊維機械１１を仕切る壁等が設けられることは少ないが、繊維機械１１自体が電波障害の原因となり得る。具体的には、繊維機械１１は金属製のフレーム及び筐体等を含んでいるため電波が透過しにくい。更に、繊維機械１１には隙間無く又は短い隙間で各ユニットが並べられているため、電波が繊維機械１１を回り込みにくいので、電波障害が発生し易い。また、繊維工場１には、同一の繊維機械１１内を移動する移動体、又は、異なる繊維機械１１間を移動する移動体等が配置されている。前者の移動体としては、例えば、上述した玉揚装置９２及び糸継台車８２に加え、ブロークリーナが該当する。ブロークリーナとは、ドラフト装置８４及び糸継装置９７等の風綿を吹き飛ばす装置である。ブロークリーナは、繊維機械１１よりも高さが高く、金属製の部材を含んでいるため、電波障害の原因となり易い。また、後者の移動体としては、例えばケンス（スライバを収容する容器）、及び、パッケージの搬送車がある。また、オペレータは、繊維工場１内を移動する。移動体又はオペレータは不規則に移動するため、移動体又はオペレータが電波障害となる場合は、通信不良が不定期に発生する。通信不良が発生した場合、オペレータが所持する携帯端末１３に必要な情報が表示されなかったり、繊維機械１１から内部サーバ１６等へ必要な情報が送信されなかったりする。この影響を緩和するために、例えば、電波障害を発生しにくくすること、又は、電波障害が発生しても通信不良から回復した後に安定した通信環境を即座に構築できること等が望まれている。
【００５３】
この電波障害を発生しにくくするために、例えばアクセスポイント装置１４は、繊維機械１１の高さより高い位置に設置されている。中継器１２は、繊維機械１１の上面に設置されている。アクセスポイント装置１４及び中継器１２の位置を高くすることで、繊維機械１１等によって電波が遮蔽されにくくなるので、通信可能距離を広くすることができる。また、アクセスポイント装置１４と中継器１２とを接続する直線上に障害物（特に金属製の障害物）が存在しないように、アクセスポイント装置１４及び中継器１２が設置されていることが更に好ましい。更に、中継器１２は、繊維機械１１のユニットの並列方向の端部（特にアクセスポイント装置１４に近い側の端部）に配置されている（図１）。以上により、繊維工場１で生じる電波障害を発生しにくくすることができる。なお、ここで挙げたアクセスポイント装置１４及び中継器１２の配置は一例であり、異なっていてもよい。また、アクセスポイント装置１４又は中継器１２と、携帯端末１３との間の通信環境を良好にすることによっても、電波障害を発生しにくくすることができる。
【００５４】
次に、繊維工場１で生じ得る電波干渉及びその対策について説明する。例えば繊維工場１内に他の無線機器が設置されている場合、電波干渉が生じる可能性がある。また、中継器１２等が配置されない別の繊維機械１１が繊維工場１に設置されている場合、この繊維機械１１が送信する電波の周波数帯及びチャネル等（即ち、繊維機械１１自身が備える無線回路から送信される電波）によっては、アクセスポイント装置１４及び中継器１２等に電波干渉が生じる可能性がある。また、同じ無線通信システム１００を構成する機器同士であっても、使用可能なチャネルには限りがあるため、電波干渉が生じる可能性がある。
【００５５】
この電波干渉を緩和するために、アクセスポイント装置１４及び中継器１２は、送信タイミングができる限り重ならないように電波を送信してもよい。例えば、アクセスポイント装置１４及び中継器１２毎にそれぞれ異なる期間が指定されており、アクセスポイント装置１４及び中継器１２は該当する期間においてのみ電波を送信する。これにより、電波干渉を緩和できる。また、アクセスポイント装置１４及び中継器１２は、通信速度が遅い場合に通信に用いるチャネルを変更することもできる。チャネルの変更は、装置側で行ってもよいし、オペレータ側で行ってもよい。装置側で行う場合、例えば通信速度が所定以下となったこと等を条件として、自動的にチャネルを変更する。また、オペレータ側で行う場合、例えば通信速度を測定するためのアプリケーションの検出結果等に基づいてチャネルの変更が必要と判断したときに、オペレータは、アクセスポイント装置１４又は中継器１２にログインを行って、チャネルの設定を変更する。
【００５６】
次に、繊維工場１で生じ得る電源断に伴う通信切れについて説明する。例えば中継器１２の電力が繊維機械１１から供給されている場合、繊維機械１１のメンテナンス、設定変更、装置変更等によって、繊維機械１１からの電力供給が不定期に停止することがある。また、地域及び環境によっては、停電（瞬時停電及び瞬時電圧低下を含む）が不定期に発生することもある。電源断が生じた場合、通信切れが生じる。通信切れが発生した場合、例えば繊維機械１１のエネルギー（電力、空気）の消費情報及び繊維機械１１の予知保全に必要な情報が内部サーバ１６等へ送信されなくなる。その結果、繊維機械１１の生産性及び生産品質に影響を及ぼす可能性がある。特に、繊維機械１１の台数（即ち、中継器１２等の台数）が多い場合は、通信切れ中に蓄積される情報が多くなる。この影響を緩和するために、通信切れから回復した後に安定した通信環境を即座に構築できることが望まれている。
【００５７】
次に、図５から図８を参照して、中継器１２が接続先のアクセスポイント装置１４を変更する処理について説明する。また、図５以降では、複数のアクセスポイント装置１４を区別してＡＰｎ（ｎ＝１，２，３，・・・）と記載し、複数の中継器１２を区別してＲＰｎ（ｎ＝１，２，３，・・・）と記載することがある。
【００５８】
初めに、図５を参照して、従来の無線通信システムにおいて、あるアクセスポイント装置の電源が一時的にオフになった状況について説明する。図５では、それぞれの中継器について、接続先のアクセスポイント装置とその電波強度を記号で示している。例えば中継器ＲＰ１はアクセスポイント装置ＡＰ１に接続されており、中継器ＲＰ１が検出したアクセスポイント装置ＡＰ１からの電波の電波強度は５段階中の５である。
【００５９】
図５の上側の図に示すように、中継器ＲＰ１〜ＲＰ４はアクセスポイント装置ＡＰ１に接続されており、中継器ＲＰ５〜ＲＰ８はアクセスポイント装置ＡＰ２に接続されている。それぞれの中継器が検出する接続中のアクセスポイント装置ＡＰ１，ＡＰ２の電波強度は、５段階中の４又は５である。
【００６０】
その後、図５の真ん中の図に示すように、アクセスポイント装置ＡＰ２の電源がオフになったとする。この場合、中継器ＲＰ５〜ＲＰ８は、アクセスポイント装置ＡＰ２に接続できなくなるので、接続可能な他のアクセスポイント装置であるアクセスポイント装置ＡＰ１に接続される。しかし、中継器ＲＰ５〜ＲＰ８からアクセスポイント装置ＡＰ１までの距離が遠いため、中継器ＲＰ５〜ＲＰ８でのアクセスポイント装置ＡＰ１の電波強度は５段階中の１又は２となる。
【００６１】
その後、図５の下側の図に示すように、アクセスポイント装置ＡＰ２の電源がオンになり、ＡＰ２が正常に動作するようになったとする。しかし、中継器ＲＰ５〜ＲＰ８は、接続先のアクセスポイント装置を変更する動作を行わないため、アクセスポイント装置ＡＰ１に接続された状態が維持される。その結果、中継器ＲＰ５〜ＲＰ８の通信速度及び通信安定性が低下するとともに、アクセスポイント装置ＡＰ１に負荷が集中することとなる。
【００６２】
これに対し、本実施形態の中継器１２は、図６に示すフローチャートの処理を行って、接続するアクセスポイント装置１４を変更する。
【００６３】
初めに、中継器１２の検出部３２は、接続中のアクセスポイント装置１４の電波強度と、接続候補の（接続していないかつ接続可能な）アクセスポイント装置１４の電波強度に基づいて通信状態を検出する（Ｓ１０１、検出工程）。なお、接続候補のアクセスポイント装置１４は１つであってもよいし、複数であってもよい、また、ステップＳ１０１の処理は、所定秒に１回の頻度で行われる。
【００６４】
次に、中継器１２は、接続中のアクセスポイント装置１４の電波強度が所定回連続して閾値を下回るか否かを判定する（Ｓ１０２、第１切替条件）。この閾値は、アクセスポイント装置１４の変更を行うか否かを決定するための閾値である。本実施形態の閾値は電波強度が３であるため、電波強度が３を下回るか否か（即ち、電波強度が１又は２であるか３以上であるか）を判定する。なお、電波強度は測定誤差及び干渉等により上下するため、所定回連続して閾値を下回るという条件を設けることで、通信状態が本当に悪い場合にのみアクセスポイント装置１４を変更することができる。
【００６５】
また、ステップＳ１０１において、接続中又は接続候補のアクセスポイント装置１４の電波強度を連続的に検出してもよい。この場合、中継器１２は、ステップＳ１０２において、電波強度が所定時間連続して閾値を下回ったときに第１切替条件を満たすと判定する。
【００６６】
中継器１２は、上記の第１切替条件を満たすと判定した場合、アラームを発生させるとともに（Ｓ１０３）、電波強度が閾値以上の接続候補のアクセスポイント装置１４が存在するか否かを判定する（Ｓ１０４、第２切替条件）。上述のとおり、本実施形態の閾値は電波強度が３であるため、接続候補のアクセスポイント装置１４が電波強度が３以上か否かを判定する。なお、具体的なアラームの発生態様としては、例えば中継器１２が有するランプを点滅させたり、アラーム音を発生させたりすることが挙げられる。また、アラームの発生に伴い、異常が発生が発生したことがログに記録される。
【００６７】
第１切替条件及び第２切替条件を満たすと判定した場合、中継器１２の変更部３３は、電波強度が閾値以上の接続候補のアクセスポイント装置１４のうち、最も電波強度が強いアクセスポイント装置１４に接続先を変更する（Ｓ１０５、変更工程）。これにより、通信状態が良好な（電波強度が強い）アクセスポイント装置に接続先を変更することができる。その後、電波強度が閾値以上のアクセスポイント装置１４に中継器１２が接続されることになるため、ステップＳ１０３で発生させたアラームが停止される（Ｓ１０６）。
【００６８】
このように、本実施形態の中継器１２は、通信状態が良好な（電波強度が強い）アクセスポイント装置１４に自発的に接続先を変更するため、従来例とは異なり、自動的に適切な接続状態となる。以下、図５と同じ状況が発生したときに本実施形態の中継器１２が行う処理について、図７を参照して説明する。
【００６９】
図７の上側の図は、図５と同じである。その後、図７の中央の図に示すように、アクセスポイント装置ＡＰ２がオフになった場合、中継器ＲＰ５〜ＲＰ８はアクセスポイント装置ＡＰ１に接続される。ここで、中継器ＲＰ５〜ＲＰ８でのアクセスポイント装置ＡＰ１の電波強度は５段階中の１又は２となるため、第１切替条件を満たすこととなる。しかし、図７の中央の図の段階では、電波強度が閾値以上のアクセスポイント装置が存在しないため、第２切替条件を満たさない。
【００７０】
その後、アクセスポイント装置ＡＰ２がオンになった場合、中継器ＲＰ５〜ＲＰ８でのアクセスポイント装置ＡＰ２の電波強度は５段階中の４又は５であるため、閾値以上である。従って、第２切替条件を満たす。また、図８に示すように、その他のアクセスポイント装置ＡＰ３も同時にオンになったとする。また、アクセスポイント装置ＡＰ３の電波強度は３であるため、閾値以上である。しかし、中継器１２の変更部３３は電波強度が最も強いアクセスポイント装置を選択するため、変更部３３は、アクセスポイント装置ＡＰ３ではなく、アクセスポイント装置ＡＰ２を接続先とする。
【００７１】
その結果、図７の下側の図に示すように、中継器ＲＰ５〜ＲＰ８はアクセスポイント装置ＡＰ２に接続される。従って、従来例とは異なり、中継器１２及びアクセスポイント装置１４について、理想的な接続関係を自動的に構築できる。
【００７２】
次に、上記実施形態の変形例を説明する。なお、本変形例の説明においては、前述の実施形態と同一又は類似の部材には図面に同一の符号を付し、説明を省略する場合がある。
【００７３】
上記実施形態では、全ての中継器１２がアクセスポイント装置１４に直接接続されていたのに対し、本変形例の一部の中継器１２は、他の中継器１２を経由して、アクセスポイント装置１４に接続される。また、アクセスポイント装置１４に接続するまでに経由する中継器１２の数をホッピング数（ＨＯＰ）と称する。図９に示す中継器ＲＰ１，ＲＰ２はアクセスポイント装置１４に直接接続されている（ＨＯＰ＝１）。中継器ＲＰ３，ＲＰ４は、中継器ＲＰ１，ＲＰ２を介して、アクセスポイント装置１４に接続されている（ＨＯＰ＝２）。また、更に別の中継器ＲＰ５，ＲＰ６は、中継器ＲＰ１，ＲＰ２と、中継器ＲＰ３，ＲＰ４と、の両方を介して、アクセスポイント装置１４に接続されている（ＨＯＰ＝３）。本変形例では、中継器１２とアクセスポイント装置１４の距離が遠い場合であっても、これらの中継器１２とアクセスポイント装置１４で通信を行うことができる。なお、他の中継器１２を介することにより、通信品質は劣化し得る。
【００７４】
従って、本変形例の第１切替条件は、アクセスポイント装置ＡＰ１の電波強度の強さに代えて又は加えて、別の条件が設定される。例えば、ホッピング数が大きくなるに連れて通信品質が劣化し得るため、ホッピング数に基づく第１切替条件を設定してもよい。また、ホッピング数が同じであっても、アクセスポイント装置１４と中継器１２が通信を行う際の電波強度、及び、中継器１２同士が通信を行う際の電波強度に応じて通信品質が変化する。従って、これらの条件を総合して第１切替条件を設定することが好ましい。
【００７５】
本変形例の中継器１２は、図１０のフローチャートで示す処理を行って、接続候補のアクセスポイント装置１４から、接続先のアクセスポイント装置１４を決定する。初めに、中継器１２は、ホッピング数が最も少ない接続候補のアクセスポイント装置を選択する（Ｓ２０１）。例えば、図１１に示すように、現在接続中のアクセスポイント装置ＡＰ１に接続する場合のホッピング数が３であり、接続候補のアクセスポイント装置ＡＰ２に接続する場合のホッピング数が１であり、接続候補のアクセスポイント装置ＡＰ３に接続する場合のホッピング数が２である場合、中継器１２は、最もホッピング数が小さいアクセスポイント装置ＡＰ２を選択する。
【００７６】
次に、中継器１２は、ホッピング数が最も少ない接続候補が複数存在するか否かを判定する（Ｓ２０２）。ホッピング数が最も少ない接続候補が１つである場合、中継器１２は、ステップＳ２０１で選択したアクセスポイント装置１４に接続先を変更する（Ｓ２０３）。
【００７７】
一方、ホッピング数が最も少ない接続候補が複数存在する場合、中継器１２は、通信品質が最も高い接続候補のアクセスポイント装置１４に接続先を変更する（Ｓ２０４）。通信品質が高いとは、電波強度が強い又は通信速度が速いこと等を意味する。例えばホッピング数が１の場合、上記実施形態と同様に、図８のように電波強度の強さに基づいて通信品質の高さを判定できる。また、ホッピング数が２以上の場合、図１２に示すように、着目している中継器１２から、別の中継器（図１２及びその説明において符号を１２ｘとする）を経由し、アクセスポイント装置１４に到達するまでの全体の経路における通信品質を用いて判定を行う。図１２では、通信品質の高さを数字の大きさで示している。通信品質の高さは、例えば、着目している中継器１２から経由する中継器１２ｘまでの電波強度と、経由する中継器１２ｘからアクセスポイント装置１４までの電波強度と、の合計値を用いて求めることができる。
【００７８】
このようにして、接続先のアクセスポイント装置１４を選択することで、複数の中継器１２を介してアクセスポイント装置１４に接続される状況においても、合理的な経路を選択できる。
【００７９】
以上に説明したように、上記実施形態の中継器１２は、設置位置が固定されており、通信部３１と、検出部３２と、変更部３３と、を備える。通信部３１は、第１アクセスポイント装置ＡＰ１及び第２アクセスポイント装置ＡＰ２を含む複数のアクセスポイント装置１４の何れかと接続して中継器として通信を行う。検出部３２は、接続中の第１アクセスポイント装置ＡＰ１との通信状態、及び、接続していない第２アクセスポイント装置ＡＰ２との通信状態を検出する（検出工程）。変更部３３は、検出部３２が検出した通信状態が切替条件を満たした場合に、接続先を第１アクセスポイント装置ＡＰ１から、当該第１アクセスポイント装置ＡＰ１よりも通信状態が良好な第２アクセスポイント装置ＡＰ２へ変更する（変更工程）。このようにして、中継器１２によって本実施形態の無線通信方法が行われる。
【００８０】
これにより、第１アクセスポイント装置ＡＰ１との接続が切れなくても、自発的に、通信状態が良好な第２アクセスポイント装置ＡＰ２に接続先を変更することができる。特に中継器１２の設置位置が固定されている場合、通信状態が変わりにくいので、いつまでも通信状態が悪いアクセスポイント装置１４と接続し続ける可能性があるが、上記の処理を行うことで、通信状態を改善できる。
【００８１】
また、上記実施形態の中継器１２において、検出部３２が検出する第１アクセスポイント装置ＡＰ１及び第２アクセスポイント装置ＡＰ２の通信状態が電波強度である。
【００８２】
これにより、通信状態を的確に判定できる。
【００８３】
また、上記実施形態の中継器１２において、第１アクセスポイント装置ＡＰ１の電波強度が閾値を下回り、かつ、第２アクセスポイント装置ＡＰ２の電波強度が複数のアクセスポイント装置の中で最も強いことが切替条件として含まれている。
【００８４】
これにより、電波強度を用いることで、通信状態の良好さを簡単かつ的確に比較できるので、適切なアクセスポイント装置１４に中継器１２を接続させることができる。
【００８５】
また、上記実施形態の中継器１２において、所定回連続して行った計測の全てで第１アクセスポイント装置ＡＰ１の電波強度が閾値を下回るか又は所定時間連続して第１アクセスポイント装置ＡＰ１の電波強度が閾値を下回り、かつ、第２アクセスポイント装置ＡＰ２の電波強度が複数のアクセスポイント装置１４の中で最も強いことが切替条件として含まれている。
【００８６】
これにより、電波強度の何らかの原因で一時的に低下して即座に良好な状態に戻った場合に、接続先のアクセスポイント装置１４が切り替わらないため、アクセスポイント装置１４の不要な変更を抑制できる。
【００８７】
また、上記実施形態の中継器１２は、携帯端末１３と無線で接続されている。また、上記変形例の中継器１２は、他の中継器１２と無線で接続されている。通信部３１は、当該携帯端末１３又は別の中継器１２とアクセスポイント装置１４との接続を中継する。
【００８８】
これにより、中継器１２だけでなく、それに接続される携帯端末１３又は別の中継器１２の通信状態も良好にすることができる。
【００８９】
また、上記実施形態の中継器１２において、設置位置が固定された繊維機械１１と有線で接続されている。通信部３１は、当該繊維機械１１とアクセスポイント装置１４との接続を中継する。また、通信部３１は、繊維機械１１の稼動に伴って取得された情報をアクセスポイント装置１４へ送信する。
【００９０】
これにより、中継器１２だけでなく、それに接続される装置の通信状態も良好にすることができる。また、繊維機械１１の稼動に伴って取得された情報を集約して管理できる。
【００９１】
以上に本発明の好適な実施の形態及び変形例を説明したが、上記の構成は例えば以下のように変更することができる。
【００９２】
上述した切替条件は一例であり、別の条件を付加してもよい。例えば、電波強度に変えて通信速度を用いることもできる。また、接続先のアクセスポイント装置１４を選択する方法についても、電波強度だけでなく通信速度を用いてもよいし、アクセスポイント装置１４に接続中の中継器１２の数を用いてもよい。
【００９３】
別のアクセスポイント装置への切替条件は、繊維機械の種別や稼動情報量に応じて変更可能である。例えば、空気精紡機は電波強度４、別の種の繊維機械（例えばリング精紡機）は電波強度３、更に別の種の繊維機械（例えば練条機）は電波強度２等と切替条件（閾値）を規定してもよい。また、空気精紡機でも、ロットチェンジ中は電波強度２、糸継動作中と玉揚中は電波強度３、紡績中は電波強度４等と切替条件を規定してもよい。例えば、図２に示すようなエアジェットタイプの空気精紡機は高さが高いため、通信環境が悪くなる。また、繊維工場１の建屋内の高さが低いほど、通信環境が悪くなる。また、上述のブロークリーナが配置される場合は、通信環境が悪くなる。このように通信環境が悪くなる状況では、電波強度が低くなり易いので、例えば低めの電波強度を切替条件として設定することが好ましい。
【００９４】
上記実施形態では、アクセスポイント装置１４の変更を実行するタイミングは特に規定していないが、例えば、中継器１２とアクセスポイント装置１４の間における単位時間あたりの通信量を計測し、当該単位時間あたりの通信量が小さくなったタイミングでアクセスポイント装置１４の変更を実行してもよい。また、中継器１２とアクセスポイント装置１４の間で、緊急性が高い情報を通信している場合、又は、携帯端末１３又は管理装置１８からの操作に基づく情報を通信している場合は、当該通信が完了した後にアクセスポイント装置１４を変更してもよい。これにより、緊急性が高い情報を遅延なく送信したり、オペレータ又は管理者の待ち時間を減らすことができる。
【００９５】
上記実施形態では、繊維工場１に無線通信システム１００を適用する例を説明したが、他の工場に無線通信システム１００を適用することもできる。その場合、中継器１２は、繊維機械１１に代えて、他の工場で用いる産業機械をネットワークに接続することとなる。また、無線通信システム１００は、工場以外、例えばオフィス又は商業施設等にも適用することができる。
【符号の説明】
【００９６】
１  繊維工場
１１  繊維機械（産業機械）
１２  中継器（無線通信機器、第２無線通信機器）
１３  携帯端末
１４  アクセスポイント装置（第１無線通信機器）
３１  通信部
３２  検出部
３３  変更部
１００  無線通信システム（繊維機械操業支援システム）
【図１】
2020098989.tif 000003
【図２】
2020098989.tif 000004
【図３】
2020098989.tif 000005
【図４】
2020098989.tif 000006
【図５】
2020098989.tif 000007
【図６】
2020098989.tif 000008
【図７】
2020098989.tif 000009
【図８】
2020098989.tif 000010
【図９】
2020098989.tif 000011
【図１０】
2020098989.tif 000012
【図１１】
2020098989.tif 000013
【図１２】
2020098989.tif 000014